Podtech/llm-jp-corpus-v4-ja_patent huggingface dataset:
(57)【要約】  【課題】薄く柔らかい、花粉や細菌を防ぐ、使い捨てで取替えできるフィルターをマスク内部に素手で装着することは困難であった。【解決手段】  本発明は薄いフィルムないし、紙を二つ折りにした挿入具を用いることで、花粉や細菌を防ぐ、使い捨てで取替えできるフィルター２を容易にマスク内部に装着できるようにした。その方法は二つ折りにした挿入具１でフィルター２を挟み、フィルター２をはさんだ挿入具１をマスクの裏面の挿入具１が出し入れできるポケットの口の一方の口７から入れて、もう一方の口７からその挿入具１の先端を出す。次に挿入具の先端の窪み３のフィルター２を摘みそれを固定していながら、挿入具１のみをポケットの口７より引き戻して取り出す。フィルターはマスクの中央に納まり装着することができる。【選択図】図５
2005095227.tif 000002
【特許請求の範囲】
【請求項１】
花粉や細菌を防ぐ、使い捨てで取替えのできるフィルターを、薄い透明ないし半透明のプラスチックフィルムないし、腰のある紙を二つ折りにして、挟める状態にしたマスク用フィルターの挿入具
【請求項２】
折り目の反対側に、すなわち重なり合う先端部にフィルターを摘みやすくするための窪みを作ったマスク用フィルターの挿入具
【発明の詳細な説明】
【技術分野】
【０００１】
本発明は、マスクにフィルターを挿入する技術に関するものである。
【背景技術】
【０００２】
従来マスクに使用するフィルターを挿入具で入れようとしたものはなかった。
【発明の開示】
【発明が解決しようとする課題】
【０００３】
マスクに用いられる花粉や細菌を防ぐ、使い捨てで取替えできるフィルターは使用回数が増すと、塵やほこり、花粉、細菌が付着し不潔になり取替えなければならない。特に電気を帯びた薄く柔らかいフィルターはものにまつわり易く、素手でマスク内部に平たくまんべんに広げて装着するのは困難であった。従って容易にフィルターを装着させる方法が必要である。
【課題を解決するための手段】
【０００４】
薄いフィルムないし、紙を二つ折りにした挿入具を用いて、花粉や細菌を防ぐ、使い捨てで取替えできるフィルターを挿入具の二つ折りの間に挟み、フィルターを平たいままの形状で、マスク内部に挿入し、次に挿入具の先端の窪み部分のフィルターを摘んだ状態で、その後挿入具だけを引き戻すとフィルターがマスク中央に納まり装着することができる。
【発明の効果】
【０００５】
以上説明したように薄く柔らかい、花粉や細菌を防ぐ、使い捨てで取替えできるフィルターをマスク内部に容易にまた簡便に装着することができる。
【発明を実施するための最良の形態】
【０００６】
発明の実施の形態については図面を参照して説明する。
【実施例】
【０００７】
図面を参照して実施例を説明する。図１は本発明に係わる挿入具１でフィルター２を挟んだ状態の斜視図である。挿入具１は薄いフィルムを二つ折りにしたものである。フィルムの材質は透明か半透明のプラスチックが中のフィルター２の具合が見えて良いが、必ずしも透明である必要はない。厚さはフィルター２を挟む程度の腰があれば良く、市販の書類を入れる透明ファイルの厚さで充分である。大きさはマスクのフィルター２を挟むためのものでフィルター２の大きさに依って変わるが、図１のような長方形で、短い方が４ｃｍから１０ｃｍ、長い方が６ｃｍから１５ｃｍくらいで良い。図２は挿入具１の正面図である。図３は挿入具１の平面図で左端の窪み３が請求項２のフィルター２を摘み易くする窪みである。図４はフィルター２を装着することできるマスクの裏面である。図のようにポケット中央部４、ポケットの端５，６の３部分のポケットから成り、この３部分でフィルターを保持する。ポケットの口７，８は挿入具が出し入れできる部分である。
フィルター２をマスク裏面に装着する方法は、図５のマスクの裏面のポケットの口７、８の2箇所の内の1箇所、図５ではポケットの口７から、フィルター２を挟んだ挿入具１を入れ、ポケット中央部４の下をくぐらしもう一方のポケットの口８から出し、次にポケットの口８から出て、ポケットの端６の上にあるフィルターを挟んだ挿入具１の先端の窪み３のフィルター２の端を摘みながら、挿入具１のみをポケットの口７から引き出す。すると図６のようにフィルター２はポケット中央部４のしたと、ポケットの端５，６の上にあり、全体としてマスクの中央に納まり、その後フィルター２の両端をポケット７，８から図７のようにポケットの端５、６の下に入れ込めば,フィルター２全体が平たくマスク内部に装着される。
実施例では挿入具の材質にプラスチックを用いたが,紙でも良く、フィルター２を保持できる厚さ、硬さがあれば良い。
【産業上の利用可能性】
【０００８】
実施例では、マスクの裏面にフィルターを出し入れできるポケットを持たせた構造にしているが、 本発明の挿入具で従来のガーゼマスクにもフィルターを装着することができ、花粉や細菌を防ぎマスクの機能を高めることができる。またマスク全体が使い捨てになっている構造のマスクに比べ、フィルターのみを使い捨てにするため、環境問題にも配慮されている。
【図面の簡単な説明】
【０００９】
【図１】この発明に係わる挿入具にフィルターを挟んだ実施例の斜視図
【図２】この発明に係わる挿入具の正面図
【図３】この発明に係わる挿入具の平面図
【図４】マスクの裏面
【図５】マスクの裏面のポケットの口にフィルターを挟んだ挿入具を入れた図
【図６】マスクの裏面のポケットにフィルターを入れ、挿入具を引き出した後の図
【図７】マスクの裏面にフィルターが完全に装着された図
【符号の説明】
【００１０】
１  挿入具
２  フィルタ−
３  挿入具の先端の窪み
４  マスクの裏面のポケット中央部
５  マスクの裏面のポケットの端
６  マスクの裏面のポケットの端
７  マスクの裏面のポケットの口の一方
８  マスクの裏面のポケットの口の他方
【図１】
2005095227.tif 000003
【図２】
2005095227.tif 000004
【図３】
2005095227.tif 000005
【図４】
2005095227.tif 000006
【図５】
2005095227.tif 000007
【図６】
2005095227.tif 000008
【図７】
2005095227.tif 000009
(57)【要約】【課題】  光触媒の作用による抗菌、消臭機能を持たせた収納庫において、照明器具を必要としない収納庫を提供する。【解決手段】  アクリル樹脂などの光透過性材料からなる光透過部６が設けられた収納庫１であって、この光透過部６の内側に光触媒がコーティングされていることを特徴とする収納庫１である。また、この光触媒を可視光応答型光触媒とすることにより、使用環境下の可視光によって光触媒の作用が発せられるので、照明器具は不要となる。【選択図】  図１
2005095287.tif 000002
【特許請求の範囲】
【請求項１】
光透過性材料からなる光透過部が設けられた収納庫であって、上記光透過部の内面側に光触媒がコーティングされていることを特徴とする収納庫。
【請求項２】
上記光触媒は、可視光応答型光触媒であることを特徴とする請求項１に記載の収納庫。
【発明の詳細な説明】
【技術分野】
【０００１】
本発明は、光触媒の作用による抗菌、消臭機能を持つ収納庫に関する。
【背景技術】
【０００２】
収納庫内の抗菌、消臭に一般的な抗菌剤や消臭剤を用いる場合、これらは時間とともにその効果が低下するため、効果の低下とともにこれらを補充、交換しなければならないという手間が発生していた。そこで、収納庫の内側に光触媒をコーティングし、この光触媒の作用により抗菌、消臭機能を永続的に保持させることが行われている。
【０００３】
例えば、特許文献１には、内部に少なくとも１個以上の紫外線光源が配置されており、収納庫の内部表面に光反応性半導体担持シートが貼り合わされている収納庫が提案されている。なお、光反応性半導体担持シートとは、例えば、酸化チタン等の光反応性半導体微粉末が含まれた光触媒層を有するシートである。
【０００４】
しかし、この収納庫は、光触媒励起光源として紫外線光源を用いているため、この紫外線により収納されたものが変質、変色することがある。
【０００５】
そこで、この問題を解決する一手段として、特許文献２では、開閉用扉部を備えた収納空間の内壁表面部に、可視光の照射に応じて光励起する光触媒層を設けるとともに、この空間内に可視光を照射する照明器具を設置した収納庫が提案されている。
【特許文献１】特開２０００−２５４２１３
【特許文献２】特開２００１−２３１６４９
【発明の開示】
【発明が解決しようとする課題】
【０００６】
上記の収納庫は、共に照明器具を収納庫内部に設けており、照明器具からの発熱、及び、蓄熱により、収納庫内の温度が上昇し、収納すべきものによっては、弊害が発生することがある。さらに、照明器具への電源供給が必要であるため、使用できる場所が電源供給可能な場所に限られる。
【０００７】
ゆえに、本発明が解決しようとする課題は、光触媒の作用による抗菌、消臭機能を持たせた収納庫において、照明器具を必要としない収納庫を提供することである。
【課題を解決するための手段】
【０００８】
上記の課題を解決するためになされた請求項１の発明は、光透過性材料からなる光透過部が設けられた収納庫であって、上記光透過部の内面側に光触媒がコーティングされていることを特徴とする収納庫である。
【０００９】
すなわち、この収納庫は、光透過材料からなる光透過部の内側に光触媒がコーティングされており、外部からの光が光透過部を透過して光触媒に当たり、光触媒が励起されて抗菌、消臭作用が発せられるものである。
【００１０】
光透過性材料としては、光透過率が高く、かつ、上記の光触媒がコーティング可能な材料を選択する。特にアクリル樹脂、ポリカーボネート、ガラスなどが適している。ここで、光透過性材料として有機材料を使用する場合には、光透過材料の光触媒による劣化を防ぐために、光透過材料に透明性のシリコーン系無機系樹脂をアンダーコートとして塗布するのが望ましい。
【００１１】
請求項２の発明は、上記光触媒は、可視光応答型光触媒であることを特徴とする請求項１に記載の収納庫である。
【００１２】
ここで、可視光応答型光触媒とは、波長がおよそ４００ｎｍ以上の可視光により励起される光触媒である。例えば、酸化チタンに、バナジウム、クロム、マンガン、鉄、コバルト、ニッケル、銅などをドーピングしたもの（特開平０９−１９２４９６）、ルチル型酸化チタンを窒素プラズマで処理するか、またはアンモニア雰囲気中で加熱処理したもの（特開２００２−３５５５６２）がある。
【発明の効果】
【００１３】
請求項１の発明によれば、この収納庫は、外部から入射される光によって光触媒が励起されるので、照明器具を収納庫内に設ける必要がない。よって、この収納庫は、電源供給が不要であり、外部からの光が入射される場所であれば、どこでも使用することができる。また、収納庫内に照明器具を設けないので、収納庫内部の発熱、蓄熱も防ぐことができる。
【００１４】
請求項２の発明によれば、上記光触媒を可視光応答型光触媒としたので、この収納庫は、蛍光灯光、電灯光、太陽光などの可視光により、光触媒の作用が発せられ、可視光が入射される環境下で使用することが可能である。
【発明を実施するための最良の形態】
【００１５】
以下に、本発明の実施形態を説明する。図１は、本発明にかかる収納庫の実施形態の一例を示す斜視図である。この収納庫１は、天井板２、右側面板３、右扉４、左扉５、及び、図示されていない左側面板、背面板、底面板からなる。右扉４、及び、左扉５には、それぞれ取手７が設けられており、右扉４、及び、左扉５は、取手７を掴んで開閉できるようになっている。そして、背面板、及び、底面板を除き、すべての面板に光透過板６が設けられている。
【００１６】
光透過板６は、アクリル樹脂、または、ポリカーボネート樹脂、もしくは、ガラスで形成された平板である。光透過板６の内面側は、可視光応答型酸化チタン光触媒粉ＢＡ−ＰＷ２５（エコデバイス株式会社製）１００重量部に、コロイダルシリカＳＩ−５５０（触媒化成工業株式会社製）を１００重量部混和して生成した光触媒コーティング剤がコーティングされている。光透過板６の材料としてアクリル樹脂、または、ポリカーボネート樹脂を用いる場合は、光触媒コーティング剤をコーティングする前に、アンダーコートとして透明のシリコーン樹脂を塗布しておく。
【００１７】
この収納庫１は、システムキッチン内の食器棚ユニットとして使用することが可能である。この場合、光が入射されるのが前面扉からのみと想定されるので、右扉４、及び、左扉５のみに光透過板６を設け、天井板２、右側面板３、左側面板、及び、背面板の光透過板６は省略してもよい。
【００１８】
また、この収納庫１をクローゼットに適用することが可能である。この場合は、側面、および、背面からの光入射がないか、少ない箇所に設置することが想定されるので、右側面板３、左側面板、及び、背面板の光透過板６は省略してもよい。
【００１９】
さらに、この収納庫１を靴箱に適用することが可能である。天井板２の上に置物などを載置し、また、背面からの光入射が無いと想定される場合は、天井板２、及び、背面板の光透過板６は省略してもよい。
【図面の簡単な説明】
【００２０】
【図１】本発明の収納庫の斜視図。
【符号の説明】
【００２１】
１  収納庫
２  天井板
３  右側面板
４  右扉
５  左扉
６  光透過板
７  取手
【図１】
2005095287.tif 000003
(57)【要約】【課題】つま先と踵の靴底に円形の板をつけ、これが回転することにより、体を地面に対して垂直方向に安全に回転できる歩行用の靴を提供する。【解決手段】つま先と踵の靴底に底穴を設け、それぞれの底穴の内部に上板を装着し、上板の中心に靴底と垂直方向に中軸を装着し、中軸を中空軸に差し込み、中空軸が中軸から外れないように中軸の靴方向と反対側の先に留め板を装着し、中空軸の靴方向と反対側に円形の下板を装着し、中軸が中心を貫通する円形の中板を上板と下板の間に設け、中板の側面には前後左右方向に車輪を装着し、車輪は上板の下側表面と下板の上側表面に接して回転し、下板の下側表面は地面に接するようにし、靴を履いて体を地面と垂直方向に回転すると、下板と中空軸以外の部分が地面に対して垂直方向に回転し、体全体が地面に対して垂直方向に回転することを特徴とする靴。【選択図】  図１
2005095283.tif 000002
【特許請求の範囲】
【請求項１】
つま先と踵に靴底に底穴を設け、それぞれの底穴の内部に上板を装着し、上板の中心に靴底と垂直方向に中軸を装着し、中軸を中空軸に差し込み、中空軸が中軸から外れないように中軸の靴方向と反対側の先に留め板を装着し、中空軸の靴方向と反対側に円形の下板を装着し、中軸が中心を貫通する円形の中板を上板と下板の間に設け、中板の側面には前後左右方向に車輪を装着し、車輪は上板の下側表面と下板の上側表面に接して回転し、下板の下側表面は地面に接するようにし、靴を履いて体を地面と垂直方向に回転すると、下板と中空軸以外の部分が地面に対して垂直方向に回転し、体全体が地面に対して垂直方向に回転することを特徴とする靴。
【発明の詳細な説明】
【技術分野】
【０００１】
本発明は、つま先と踵の靴底面に円形の回転板をつけ、靴を装着することにより、つま先、踵の何れかを地面に接して、この部分を中心として容易に体を垂直方向に回転することができる歩行用の靴に関するものである。
【背景技術】
【０００２】
従来、靴底に埋め込み式車輪を装着し、自在に着脱できるローラ式の靴が知られている。また、踵の部分にローラを埋め込み、通常は靴として使用しながら必要に応じてローラ走行ができる、ローラ靴兼用の靴があった。
【特許文献１】２００１年特許公開第２５２３９０号
【特許文献２】登録実用新案第３０７９９０２号
【特許文献３】登録実用新案第３０８２４３１号
【発明の開示】
【発明が解決しようとする課題】
【０００３】
従来のローラ靴兼用の靴は、前後方向にのみローラが回転するので、地面に対し垂直な軸を中心として体を回転させることが困難である、という欠点があった。
本発明は、以上の欠点を除くためになされたものである。
【課題を解決するための手段】
【０００４】
つま先と踵の靴底に底穴を設け、それぞれの底穴の内部に上板を装着し、上板の中心に靴底と垂直方向に中軸を装着する。中軸を中空軸に差し込み、中空軸が中軸から外れないように中軸の靴方向と反対側の先に留め板を装着し、中空軸の靴方向と反対側に円形の下板を装着する。中軸が中心を貫通する円形の中板を上板と下板の間に設け、中板の側面には前後左右方向に車輪を装着し、車輪は上板の下側表面と下板の上側表面に接して回転する。下板の下側表面は地面に接するようにし、靴を履いて体を地面と垂直方向に回転すると、下板と中空軸以外の部分が地面に対して垂直方向に回転し、体全体が地面に対して垂直方向に回転することを特徴とする靴。
【発明の効果】
【０００５】
靴を装着し、手足を使って、バランスを取りながら、地面に対しての垂直軸を中心として体を容易に回転することができる。
【発明を実施するための最良の形態】
【０００６】
以下、本発明の実施の形態について説明する。
（イ）靴本体（１）のつま先と踵に底穴（２）を設け、これに上板（３）を上板留めねじ（１４）で装着する。
（ロ）上板（３）の下部に中軸（４）を設け、車輪（７）を前後左右に装着した中板（６）の中心部に中板穴（１２）を開け、中軸（４）を通す。
（ハ）下板（１１）に中空穴（１２）を設けた中空軸（１０）を装着し、中空穴（１２）に中軸（４）を差し込む。
（ニ）中軸（４）の下端には、中軸（４）の直径より大きい直径の留め板（５）を装着する。
（ホ）下板（１１）には切り欠き（１３）を設け、留め板（５）を切り欠き（１３）にはめることにより、中空軸（１０）と中板（６）及び下板（１１）が中軸（４）から抜けることを防止する。
本発明は以上のような構成で、これを使用するときは、靴本体（１）を履いて、下板（１１）を地面につけ、体を地面に対して垂直に回転する。
これにより、通常の歩行用靴と比較して、より容易に体を回転することができる。
【実施例１】
【０００７】
図１４、図１５、図１６のように、中板（６）、車輪（７）、車輪軸（８）を装着せず、代わりに中軸（４）と中空軸（１０）を太くして強度を増すことにより、同一の機能を維持する方式でもよい。
【実施例２】
【０００８】
図１７のように車輪（７）、車輪軸（８）を装着せず、代わりに中板（６）に開けた穴に球体（１５）を装着し、同一の機能を維持する方式でもよい。
【図面の簡単な説明】
【０００９】
【図１】本発明の分解斜視図
【図２】下側から見た斜視図
【図３】主要部分の斜視図
【図４】Ａ−Ａ線断面図
【図５】上板、中軸、留め板の正面図
【図６】上板、中軸、留め板の斜視図
【図７】上板、中軸、留め板の平面図
【図８】中板、車輪の斜視図
【図９】中板、車輪の平面図
【図１０】中板、車輪の正面図
【図１１】中空軸、下板の正面図
【図１２】中空軸、下板の斜視図
【図１３】下板の下側から見た平面図
【図１４】本発明の他の実施例としての上板、中軸、留め板の正面図
【図１５】本発明の他の実施例としての上板、中軸、留め板の斜視図
【図１６】本発明の他の実施例としての中空軸、下板の斜視図
【図１７】本発明の他の実施例としての中板、球体の斜視図
【符号の説明】
【００１０】
１  靴本体
２  底穴
３  上板
４  中軸
５  留め板
６  中板
７  車輪
８  車輪軸
９  中軸穴
１０  中空軸
１１  下板
１２  中空穴
１３  切り欠き
１４  上板留めねじ
１５  球体
【図１】
2005095283.tif 000003
【図２】
2005095283.tif 000004
【図３】
2005095283.tif 000005
【図４】
2005095283.tif 000006
【図５】
2005095283.tif 000007
【図６】
2005095283.tif 000008
【図７】
2005095283.tif 000009
【図８】
2005095283.tif 000010
【図９】
2005095283.tif 000011
【図１０】
2005095283.tif 000012
【図１１】
2005095283.tif 000013
【図１２】
2005095283.tif 000014
【図１３】
2005095283.tif 000015
【図１４】
2005095283.tif 000016
【図１５】
2005095283.tif 000017
【図１６】
2005095283.tif 000018
【図１７】
2005095283.tif 000019
(57)【要約】【課題】  把持部と頭部を取り外し可能にする事と、簡単で実践的に脱着出来る様、把持部に機能を持たせる。【解決手段】  本発明は把持部に脱着式の機能を持たせた。【選択図】    図１
2005095293.tif 000002
【特許請求の範囲】
【請求項１】
本発明は調理器具に関するもので、杓子、フライ返し等を脱着式把持部と頭部に分けて、頭部を差込式にする事で１つの把持部で何種類もの調理用頭部を組成できる事を特徴とする調理器具である。
【請求項２】
本発明は頭部の接続部を差し込むと、機械工学的に自動で把持部に接合固定され、押しボタンを押すと、同接続部の取り外しが可能と成る、弾性体部品の復元力と押しボタンを押した時の圧力で支持片を機能させ、同支持片の構造と機能より同接続部の接合固定と離接非固定の２つの状態を維持する事で接続部の脱着を特徴とする調理用の把持である。
【発明の詳細な説明】
【技術分野】
【０００１】
本発明は調理用の杓子、網杓子、油きり杓子、フライ返し、泡だて器、フォーク等と盛付用、取分用のスプーン、フォーク、ナイフ等の調理器具に関する。
【背景技術】
【０００２】
従来の技術では把持部と頭部が一体であった。
【発明の開示】
【発明が解決しようとする課題】
【０００３】
従来の技術では把持部と頭部が一体であり、その為、大量生産、大量消費の消費者生活の現状に於いて当該調理器具の種類が増え、また、収納の小スペース化志向、家庭用食器洗い器の普及等により当該調理器具の利便性を再度、追求する状況にあり、新機能の導入の需要があった。
【課題を解決するための手段】
【０００４】
本発明は３つの課題である収納の小スペース化、種類増加への対応、家庭用食器洗い器での実践的な使用を目的として、把持部と頭部を分ける事により解決。
【発明の効果】
【０００５】
本発明により、家庭用食器洗い器での使用が実践的になった。また、常時使用しない本発明の頭部は収納する事ができ、台所のスペースが広く使える様に成った。また、数個の把持部を共有する事により、逆に取替え頭部の種類を増やし、様々な調理が便利に成った。
【発明を実施するための最良の形態】
【０００６】
本発明において、把持部のボタンは親指の握る位置にあるのが望ましく、小さい圧力で作動させた。
【実施例】
【０００７】
数種類の形態が可能であるが、本発明を実施に基づいて説明すると、本体（５）に内設されている支持片（４）には丸穴（３）があり、頭部の接続部（２）に接合されている凸部（９）が嵌め込まれ、頭部と本体（５）が固定される。取り外しの時は、ボタン（８）を押すと、図２の通り、支持片（４）が反り返りピストン（６）を押し、同（６）と隣接している弾性体（７）が縮む。その時、頭部の接続部（２）に接合されていた凸部（９）が外れ、同（２）を本体（５）から抜き取る事が出来る。押していたボタン（８）から手を離すと、弾性体（７）の復元力により、ピストン（６）が押し上げられ同（６）の圧力で支持片（４）が元の位置に戻り、同（４）の圧力でボタン（８）が元の位置に戻る。頭部の接続部（２）を嵌め込む時は、同（２）を送入すると支持片（４）の凸部（９）がボタン（８）を押した時と同じ働きをして、嵌め込み可能と成る。
【産業上の利用可能性】
【０００８】
本発明は種類増加への対応、家庭用食器洗い器での実践的な調理器具として利用可能。
【図面の簡単な説明】
【０００９】
【図１】脱着式把持の構造図
【図２】脱着式把持の構造図
【図３】脱着式把持と頭部
【図４】杓子頭部の側面
【図５】杓子頭部の正面
【符号の説明】
【００１０】
１脱着式把持
２頭部の接続部
３丸穴
４支持片
５本体
６ピストン
７弾性体
８ボタン
９凸部
【図１】
2005095293.tif 000003
【図２】
2005095293.tif 000004
【図３】
2005095293.tif 000005
【図４】
2005095293.tif 000006
【図５】
2005095293.tif 000007
(57)【要約】      （修正有）【課題】歯周病，虫歯，口臭の原因と言われている歯周ポケット中の歯垢，歯石連鎖凹凸に住み着く嫌気性有害菌の繁殖を阻害できる密封流動状発酵乳菌定着予防用具と手段または歯周病，虫歯，口臭防止の為の飲食品を提供する。【解決手段】本発明は嫌気性有害菌の除菌を食品で同じ嫌気性有益菌たる流動状発酵乳菌で除菌または繁殖阻害させるために発酵乳菌の繁殖環境を作るため、嫌気性有害菌が住み着く歯周ポケット中の歯垢，歯石連鎖凹凸に同じ嫌気性有益菌たる発酵乳菌を定着させるようにした密封流動状発酵乳菌定着予防用具1である。植物に由来するポリフェノールの有効成分は公知の事実で開示してあるので予防用具の密封流動状発酵乳菌に添加し利用できる。【選択図】図１
2005095268.tif 000002
【特許請求の範囲】
【請求項１】
本発明は従来の常識にとらわれず新規な手段を研究した嫌気性有害菌の除菌を薬剤でなく食品で同じ嫌気性有益菌たる流動状発酵乳菌で除菌または繁殖阻害させるために発酵乳菌の繁殖環境を作る必要がある。
発酵乳菌が口腔内で滞留時間を延ばすために嫌気性有害菌が住み着く歯周ポケット中の歯垢，歯石連鎖凹凸に同じ嫌気性有益菌たる発酵乳菌を定着させる，密封流動状発酵乳菌定着予防用具である。
植物に由来するポリフェノールの有効成分は公知の事実で開示してあるので予防用具の密封流動状発酵乳菌に添加し利用できる。
【請求項２】
誰でも何処でも持ち運べる使い捨て歯周病，虫歯，口臭予防効果が簡単に利用できる。
【請求項３】
幼児，病人の介護者は歯みがき無用，歯間ブラシでブラッシング後，予防効果を密封流動状発酵乳菌定着予防用具を使用できる。
【請求項４】
動物でも同じ病気であれば予防効果を密封流動状発酵乳菌定着予防用具を使用できる。
【請求項５】
図２の示す如く６，アルミニウム等トップシールを剥がして４，蛇腹を適当に曲げる
図１の示す如くa，歯茎b，歯の隙間に５，ノズルを当て１，本発明品を押す２，流動状発酵乳菌は歯周ポケット中の歯垢，歯石連鎖凹凸に定着する。           
【発明の詳細な説明】
【技術分野】
【０００１】
本発明は歯周病，虫歯，口臭の予防用具に関する。
【背景技術】
【０００２】
歯周病，虫歯，口臭は歯周ポケット中の歯垢，歯石に嫌気性有害菌が住み着いているのが原因と言われている。
しかし歯と歯茎にゼリー状フッ素化合物を塗布した基布を貼る予防用具がある素人には慣れが必要と思われる。
【特許文献１】特開2002-114677 紅茶，烏龍茶等の発酵茶葉は植物に由来するポリフェノール有効成分，は抗虫歯予防，抗歯周病治療予防効果が開示してある。
【特許文献２】特開H06-263646
【特許文献３】特開H06-279302
【特許文献４】特開H08-81380
【発明の開示】
【発明が解決しようとする課題】
【０００３】
歯周病，虫歯，口臭は歯周ポケット中の歯垢，歯石連鎖凹凸に住み着く嫌気性有害菌が原因と言われている個人で歯みがきしても歯周ポケット中の歯垢，歯石連鎖凹凸は除去できない歯科医で除去しても再び歯垢，歯石連鎖凹凸はできる，きりがない密封流動状発酵乳
菌定着予防用具と手段または歯周病，虫歯，口臭の飲食品を提供し開示する。
【課題を解決するための手段】
【０００４】
本発明は上記達成のために従来の常識にとらわれず新規な手段を研究した嫌気性有害菌の除菌を薬剤でなく食品で同じ嫌気性有益菌たる流動状発酵乳菌で除菌または繁殖阻害させるために発酵乳菌の繁殖環境を作る必要がある。
発酵乳菌が口腔内で滞留時間を延ばすために嫌気性有害菌が住み着く歯周ポケット中の歯垢，歯石連鎖凹凸に同じ嫌気性有益菌たる発酵乳菌を定着させる，密封流動状発酵乳菌定着予防用具である。                                    
植物に由来するポリフェノールの有効成分は公知の事実で開示してあるので予防用具の密封流動状発酵乳菌に添加し利用できる。
【発明の効果】
【０００５】
１，誰でも何処でも持ち運べる使い捨て歯周病，虫歯，口臭予防効果が簡単に利用できる。２，幼児，病人の介護者は歯みがき無用，歯間ブラシでブラッシング後，予防効果を密封  流動状発酵乳菌定着予防用具を使用できる。
３，動物でも同じ病気であれば予防効果を密封流動状発酵乳菌定着予防用具を使用できる。
【発明を実施するための最良の形態】
【０００６】
図２の示す如く，６，アルミニウム等トップシールを剥がして４，蛇腹を適当に曲げる。
図１の示す如くa,歯茎b,歯の隙間に５，ノズルを当て１，本発明品を押す２，流動状発酵  乳菌は歯周ポケット中の歯垢，歯石連鎖凹凸に定着する。
【実施例】
【０００７】
本発明者は歯がぐらついている歯茎と歯に本発明品の密封流動状発酵乳菌定着予防用具のノズルを歯と歯の隙間に当て上下の歯周ポケット中の歯垢，歯石連鎖凹凸に定着させた。
１日二回を２日間で歯が歯茎に固定した。
【０００８】
定期的に歯周ポケットに流動状発酵乳菌定着で1000日間，歯みがき全然しない甘い菓子は毎日何回も食べても歯周病，虫歯，口臭にも発病しない原因は歯周ポケット中の歯垢，歯石連鎖凹凸に発酵乳菌が定着繁殖していると思われる甘い菓子は発酵乳菌の養分になっている密封流動状発酵乳菌定着予防具は歯周病，虫歯，口臭の予防効果が高いと思う。  
【産業上の利用可能性】
【０００９】
飲食品業界または産業界または医薬外品業界に貢献できる。
流動状発酵乳菌，ポリフェノール添加の製造方法は公知の方法に従って製造方法でよい。
合成樹脂一体成形予防用具の製造方法は公知の方法に従って製造方法でよい。
【図面の簡単な説明】
【００１０】
【図１】発酵乳充填，実施例を示した正面図である。
【図２】本発明品合成樹脂一体成形を示した縦断面図である
【符号の説明】
【００１１】
１，本発明品の予防用具
２，密封流動状発酵乳菌
３，細長い筒状
４，蛇腹
５，ノズル
６，アルミニウム等トップシール
７，同内容物充填，封着
a，歯茎
b，歯
【図１】
2005095268.tif 000003
【図２】
2005095268.tif 000004
(57)【要約】【課題】簡便な方法で水質浄化と環境保全に寄与する水路を構築する。【解決手段】図１のような透水部をポーラスコンクリートにて収容体を形成し浄化材を内部に充填することによりその利点と補完・補強作用により課題を解決する複合型水質浄化構造体。【選択図】  図１
2005095773.tif 000002
【特許請求の範囲】
【請求項１】
透水性のあるポーラスコンクリートを主たる形成材料とし、内部空間を持つ矩体からなる収容体を構成させ、炭化物等の浄化材を安定収容し、形状と強度を保持させながら流水中に設置することを特徴とする複合型水質浄化構造体
【請求項２】
請求項１において浄化材収容体の、汚水の流入と流出部をポーラスコンクリートで形成することにより、流量・流水方向が制限でき浄化能力を有効に利用できることを特徴とする水質浄化構造体
【請求項３】
請求項１乃至２において、流水の持つ位置水頭・速度水頭・圧力水頭を利用し、通水及び不通水の部材からなる導水部(路)を前程に持つ構造又は、下流側に誘導排出部(路)を持ち次段にある水質浄化構造体に汚水を連続誘導する構造或いは、両方を持つ水質浄化構造体
【請求項４】
水路の流水面である側面や底面、又は両方に請求項１乃至３の水質浄化構造体を護岸・河床ブロック状に配置又は、水路自体に形成させた水質浄化構造体、及び連続構造体
【請求項５】
一定水位位置まで水質浄化構造体を配置し、低水位時において浄化槽を形成するもの、或いは全面水質浄化水路となす構造
【請求項６】
請求項１において内部に使用する浄化材(剤)の量及び種類は、被処理物の種類・濃度等の汚水成分構成要因及び、処理時間・量等の処理目的要因並びに、汚水流量や処理体の占有面積・体積などの設置場所の要求により任意で簡便に変更できることを特徴とする水質浄化構造体
【請求項７】
請求項１乃至６の請求項目を満たすため、適宜な形状及び配置を可能とすることを特徴とする水質浄化構造体
【発明の詳細な説明】
【技術分野】
【０００１】
本発明は、ポーラスコンクリートと炭化物等の浄化材(剤)を利用した水質浄化を目的とした複合型構造物
【背景技術】
【０００２】
河川を始めとする近年の流水路は、用・排水路や開・閉(暗)水路又は管水路を問わず決壊と溢れだしを防止することを目的とし、最小の断面積で必要流量を下流に流しうる経済的形状で建設又は改良されてきた。
【０００３】
そのため、都市化が進むにつれ河川においても、コンクリート等で護岸や河床が整備されており、流水路はコンクリート・鉄・パイプ等の構造になり、表面は滑らかであり、直線的であって、そのため流速は早くなっている。
【０００４】
結果として、水質浄化を担ってきた微生物や水草・魚介類の水生生物が生育する環境を壊してきた。それに加え、水源も生活排水や農・商・工業が排出する化学物質が混入し、投機ごみ等により水質も悪化し、より一層の自然浄化能力低下へと悪循環を生んだ。
【０００５】
水質は、排出規制や下水分離処理により改善が図られるも、自然の持つ浄化能力の低下要因の増加により、現水系の自然回復力には限界がある。
【０００６】
治水や利水に寄与する湖や池も、自然と人工の区別無く上記のごとく浄化能力低下の状態にある。
【発明の開示】
【発明が解決しようとする課題】
【０００７】
上記問題を解決するため、水質浄化に寄与してきた水生動植物の生態系を復活させる環境保全型水路を提供する。また浄化能力を補完するとともに人為的に増強させた水路を構築する。
【０００８】
流水状況により、汚水を浄化能力のある部分に循環・透過させる等の、制水制御を行える構造を提供し浄化能力を増強・補完する。
【０００９】
これは水路だけでなく、浄化槽や貯水池や水槽も構成できる他、人為的に流水又は循環水を作り出した浄化を目的とした構造物も対象とする。
【課題を解決するための手段】
【００１０】
汚染物質を吸収又は吸着させること、及びそれを分解又は固定・固着させる手段を提供する。これは当発明により自然の自浄能力を回復させて課題を解決させる。自然の浄化能力を超える部分とその補完・強化に浄化剤を利用する。
【００１１】
ポーラスコンクリート自体に、その特徴でもある連結された空間層を利用して、自然の生態系が持つ浄化能力を形成させる。これは接水面流速の制限ともあいまって、水際と水路底において、微生物や水生動植物が生息できる様な棲家と植生の定着環境が形成されるためである。
【００１２】
自然浄化能力を補完するため処理目的に合う浄化材を安定収納するとともに、浄化材の能力に合う流量・流速を提供する。これはポーラスコンクリート形成能力と強度及び制御可能な透水能力を使用する。
【００１３】
主として浄化材は、大量にそして安価に供給できる炭化物を利用する。これは炭化できる物質はすべて浄化材ととして利用できるためであり、ＰＥＴ廃材や古タイヤなどの炭素を含む化学物質から有機残渣、処分廃材や生活ごみなど原料を選ばない。
【００１４】
炭化物の吸着力は活性炭や活性炭化物として周知のとおりであり、その物理吸着や化学吸着の特性は制御可能であり、その固着能力は自然の浄化能力では処理しきれない重金属から、微量で生物に影響を与える環境ホルモンやダイオキシンまで対応できるものである。これはその費用対性能、並びに原料からくる安定供給力を考慮する上で他の比を抜きんじている。又その表面積の大きさは、嫌気と好気を問わず水質浄化に有効な微生物の優れた繁殖地になる。これは吸着汚染物質の高度な分解能力を生み出し、生態系維持と自然環境回復の基礎となる。
【００１５】
表面積を増やすためや、浄化能力を上げるためにセメント構造物表面や内部に空気孔を形成させる方法もあるが、これは必要な透水性や汚水の循環性が得られない。又セメントの骨材に炭化物等の浄化材を混入させたものやセラミック・珪石等を混和させる方法は、有効表面にコンクリート膜が形成し汚水処理のための十分な接触面が得られない。これは課題を解決する手段として効果が薄いためポーラスコンクリートと浄化材との複合複合型構造体として課題解決にあたる。
【発明の効果】
【００１６】
現在行われているほとんどすべての水路構築工法に応用でき、既設水路の改修応用が容易である。資源活用の上からリサイクル先が求められている建築廃材や間伐材を始め、自らが汚染物質となりうる産業廃棄物まで炭化出来る物質はすべて浄化材として利用でき、資源の有効利用を図りつつ水質浄化と環境保全を行うことが出来る。
【実施例１】
【００１７】
基本構造として図１のごときブロック体を、水路底や護岸に並べたり、積上げて使用する。
【図面の簡単な説明】
【００１８】
【図１】浄化材の収納体の基本図
【符号の説明】
【００１９】
ａ  ポーラスコンクリートを主たる形成材料とした矩体本体
ｂ  蓋取付け治具受け口
ｃ  蓋本体
ｄ  蓋取付け治具及び吊り下げ治具取付け部
【図１】
2005095773.tif 000003
(57)【要約】【目的】  漆喰本来の長所を活かしつつ、更なる機能を付加した漆喰仕上げ工法を開発する。【構成】  漆喰による仕上げ壁に、光触媒活性を有するクリア塗膜を形成することにより、漆喰仕上げに有機物分解による汚れ防止、大気浄化作用、抗菌、防カビ機能を付加できることを見出したものであり、漆喰仕上げを行った表面に、ペルオキソ改質アナターゼ型又はルチル型のチタニア粒子を含むクリア型光触媒塗料を塗布してなる漆喰仕上げ工法。【特許請求の範囲】
【請求項１】
漆喰仕上げを行った表面に、ペルオキソ改質アナターゼ型又はルチル型チタニア粒子を含むクリア型光触媒塗料を塗布してなることを特徴とする漆喰仕上げ工法。
【発明の詳細な説明】
【技術分野】
【０００１】
本発明は、漆喰仕上げ工法に関する。
【背景技術】
【０００２】
塗り壁の材料の一つとして、漆喰が知られている。漆喰は、消石灰、のり、すさ、角又等を原料として、これらを水で練り、鏝塗りにより仕上げられるものである。漆喰に砂を加えたものは砂漆喰と呼ばれ、下地作り、下地調整に使用される。また、消石灰にすさ、増粘剤、水等を混合し、必要に応じて顔料等の着色材を配合したものが上塗り材として使用されている。
【０００３】
漆喰による仕上げは、日本古来の建築物の内外装壁に使用され、美しい白壁が特徴である。内装壁に使用した場合には、湿度調節機能を有し、また近年問題となっているホルムアルデヒド、アンモニアといった揮発性の有機化学物質を含有しないので、シックハウス対策に有効である。外壁に使用した場合には耐火性、耐水性、耐候性に優れる。
【０００４】
反面、漆喰仕上げの壁は鏝塗りであるため左官職人の技術によりその仕上がり具合が左右され、平滑な仕上がりでないと表面に細かい凹凸が残ってしまう。こうした凹凸は埃、ちりなどが溜まる事により、壁の汚れやかびの発生の原因となる。よって、従来からの漆喰等の塗り壁の長所を活かしつつ、これを改良する努力が続けられてきており、特開２００１−１９３２５３号、特開２００３−６４８４０号等に無機質材料を使用した壁材や、仕上げ工法が開示されている。
【特許文献１】特開２００１−１９３２５３号
【特許文献２】特開２００３−６４８４０号
【発明の開示】
【発明が解決しようとする課題】
【０００５】
そこで、漆喰本来の長所を活かしつつ、更なる機能を付加した漆喰仕上げ工法を開発するのが本発明の課題である。
【課題を解決するための手段】
【０００６】
かかる課題を解決せんとして、本発明者は鋭意研究の結果、漆喰による仕上げ壁に、光触媒活性を有するクリア塗膜を形成することにより、漆喰仕上げに有機物分解による汚れ防止、大気浄化作用、抗菌、防カビ機能を付加できることを見出したものであり、その要旨は以下に存する。
【０００７】
漆喰仕上げを行った表面に、ペルオキソ改質アナターゼ型又はルチル型のチタニア粒子を含むクリア型光触媒塗料を塗布してなることを特徴とする漆喰仕上げ工法。
以下に詳細に説明する。
【０００８】
漆喰を使用した塗り壁形成に関しては、従来公知の漆喰工法が特に制限なく使用できる。従来の漆喰は、消石灰（水酸化カルシウム）、酸化カルシウムを主成分として、これにふのり、角又、すさ等を加え、水により練り上げられるものである。しかし漆喰を含め無機質系塗り壁材料であれば、漆喰と同様に本発明に適用ができる。即ち、石膏、その他珪酸塩類など水と任意に混合できる材料が例示できる。珪酸塩類としては、珪酸リチウム、珪酸ナトリウム、珪酸カリウムなどの珪酸アルカリ塩やコロイダルシリカなどの無定形シリカを挙げることができる。添加物についても、上記従来からの公知物に加え、セピオライト、ゼオライト、活性炭、シリカゲル、珪藻土等各種無機質系材料、各種骨材、粘土や各種の無機顔料を添加することが可能である。
【０００９】
本発明を実施しようとすれば、新規に漆喰若しくはこれに類する無機系材料からなる塗り壁を仕上げることが好ましいが、表面状態が良好であれば、既に存在する無機系塗り壁を基礎として本発明を施工することも可能である。仮に現存する無機系塗り壁の表面状態が、部分的に剥落等していて、欠陥が見られる場合には、補修を行った後に本発明を施工することが望ましい。
【００１０】
光触媒活性を有するクリア塗膜を得るためには、過酸化チタン溶液を塗布、乾燥することで得ることができる。過酸化チタン溶液としては、ペルオキソ改質アナターゼ型又はルチル型のチタニア粒子を含むクリア型光触媒塗料が好適に使用でき、本発明では更に、ペルオキソ改質アナターゼゾル（以下「ＰＡゾル」）を含む溶液の使用を推奨する。ＰＡゾルは、アナターゼ超微粒子の分散液体であり、これを塗布、乾燥させるのみでアナターゼ型結晶構造の酸化チタンが結晶化する。このため、ＰＡゾルの塗布により得られるクリア塗膜はアナターゼ型結晶構造酸化チタンによる光触媒活性を効率的に得ることができる。ＰＡゾルは水、アルコールにより適宜希釈して使用することが可能である。
【発明の効果】
【００１１】
本発明による漆喰仕上げ工法による壁面は、従来の漆喰に代表される無機質材料塗り壁工法の長所、特徴を何ら損なうことなく、さらに光触媒活性による有機物分解機能を付加することができるため、白色の伝統的で美麗な漆喰壁を藻類やかびの発生による汚染から防止することができる。更には、元来漆喰壁が有する吸着性により吸着される大気中の窒素酸化物やホルムアルデヒドといった有害成分を、光触媒活性の有機物分解作用により分解することで、大気浄化が期待できる。
【発明を実施するための最良の形態】
【００１２】
本発明の理解に供するため、以下に実施例を記載する。いうまでもなく、本発明は以下の実施例に限定されるものではない。
【実施例１】
【００１３】
消石灰、ふのり、すさからなる漆喰を水で練り上げ、壁面に鏝塗りにより平滑に仕上げ、漆喰壁を得た。完全に乾燥した該漆喰壁に、ＰＡゾル溶液（ＰＡゾル８０質量％を含み、イオン交換水により希釈したもの）をローラー塗装、乾燥させ、ＰＡゾルクリア塗膜を得た。
【実施例２】
【００１４】
既存の漆喰仕上げ壁の表面に付着した汚れ、埃、ゴミ、コケを高圧洗浄水により洗浄除去し、乾燥清浄化された壁面に、ＰＡゾル溶液（ＰＡゾル８０質量％を含み、イオン交換水により希釈したもの）をローラー塗装、乾燥させ、ＰＡゾルクリア塗膜を得た。
【００１５】
実施例１、実施例２の漆喰仕上げの各々に、一部ＰＡゾル溶液を塗装しない部分を設け、比較例とした。
【００１６】
[結果]
実施例１、実施例２の壁面工事後、約６ヵ月経過した壁面を観察したところ、漆喰壁表面に藻類、かびの発生はなく、汚れがなく、美麗な表面を維持していた。比較例の表面には部分的に藻類の発生による汚れがあり、比較例全体として実施例と比較すると、白色度が低下していた。
【産業上の利用可能性】
【００１７】
本発明は、漆喰に代表される無機質材料による塗り壁仕上げの耐候性、抗菌性、防汚性を飛躍的に向上させることができるため、新規に施工する壁面に漆喰仕上げを採用する選択肢が広がる他、既存の漆喰仕上げ壁を補修、洗浄して本発明による施工を行うことで、漆喰壁施工直後の美麗な表面を維持していくことが可能であるなど、広く利用が見込めるものである。
(57)【要約】【課題】  骨盤部分をより強く支持固定し得ると共に、前傾姿勢時の背部に浮きが発生し難く、しかも生産効率、輸送効率、保管効率に優れた腰痛帯の提供。【解決手段】  少なくとも背当て部とその両端に連成された腹当て部とを備えた腰痛帯において、当該背当て部の下辺領域又は上下両辺領域が他領域より大きい伸長力を有する；前記背当て部が伸縮性織物から成る。【選択図】  図１
2005095508.tif 000002
【特許請求の範囲】
【請求項１】
少なくとも背当て部とその両端に連成された腹当て部とを備えた腰痛帯において、当該背当て部の下辺領域又は上下両辺領域が他領域より大きい伸長力を有することを特徴とする腰痛帯。
【請求項２】
背当て部が、下辺領域又は上下両辺領域の伸長力を、他領域の伸長力より大きくした伸縮性織物から成ることを特徴とする請求項１記載の腰痛帯。
【請求項３】
下辺領域の巾が１〜５cmであることを特徴とする請求項１又は２記載の腰痛帯。
【請求項４】
下辺領域の巾が１〜５cm、かつ上辺領域の巾が１〜５cmであることを特徴とする請求項１又は２記載の腰痛帯。
【請求項５】
下辺領域又は上下両辺領域の伸長力が、他領域の伸長力の１２０〜１５０％であることを特徴とする請求項１〜４の何れか１項記載の腰痛帯。
【発明の詳細な説明】
【技術分野】
【０００１】
本発明は、腰の痛みを軽減するために用いられる腰痛帯に関する。
【背景技術】
【０００２】
背当て部の長手中央部領域を、他領域より小さい伸長率とした腰痛帯が既に知られている（例えば、特許文献１参照）。
【０００３】
しかしながら、上記如く、背当て部の長手中央部領域の伸長率を小さくして、他領域の伸長率を大きくした場合には、背当て部下部の骨盤部分に接する領域の伸長率が大きいため伸び易い結果、骨盤部分をより強く締め付け固定することができない、と云う問題があった。
また、同様に背当て部上部も伸び易い結果、装着状態での前傾姿勢時に発生し易い背部の浮きを抑制し難い、と云う問題があった。
【０００４】
更にまた、従来の腰痛帯において上記の如き伸長率の異なる領域を形成しようとする場合には、伸長率の異なる素材をわざわざ縫い付けたり、あるいは別パーツとして取り付けなければならなかったため、そもそも生産効率に難があると共に、腰痛帯としては嵩張った状態となる結果、輸送効率や保管効率の点でも問題があった。
【特許文献１】特開平８−７１０９４号公報
【発明の開示】
【発明が解決しようとする課題】
【０００５】
本発明は上記の如き従来の問題に鑑みてなされたもので、骨盤部分をより強く支持固定することができる腰痛帯を提供することを目的とする。
また、本発明は装着状態での前傾姿勢時においても背部に浮きが発生し難い腰痛帯を提供することを目的とする。
更にまた、本発明は生産効率、輸送効率、保管効率に優れた腰痛帯を提供することを目的とする。
【課題を解決するための手段】
【０００６】
本発明腰痛帯は、上記目的を達成するために、少なくとも背当て部とその両端に連成された腹当て部とを備えた腰痛帯において、当該背当て部の下辺領域又は上下両辺領域が他領域より大きい伸長力を有することを特徴とする。
【０００７】
また、本発明腰痛帯は、背当て部が、下辺領域又は上下両辺領域の伸長力を、他領域の伸長力より大きくした伸縮性織物から成ることを特徴とする。
【発明の効果】
【０００８】
本発明腰痛帯は、背当て部の下辺領域が、他領域より大きい伸長力を有しているため、装着時骨盤部分をより強く締め付け固定し得る結果、骨盤の安定性が高められ、腰痛の発生をより抑制し、あるいは痛みをより軽減することができる。
【０００９】
また、背当て部の下辺領域のみならず、その上辺領域をも伸長力を大きくした場合には、当該上辺領域でもより強く締め付け固定される結果、装着状態での前傾姿勢時においても背部に浮きが発生することを防止し得る。
【００１０】
更にまた、下辺領域又は上下両辺領域の伸長力を、他領域の伸長力より大きくした伸縮性織物で背当て部を構成した場合には、伸長力の異なる素材をわざわざ縫い付けたり、別のパーツとして取り付ける必要がない結果、生産効率に優れると共に、格別嵩張ることもないため、輸送効率や保管効率にも優れる。
【実施例】
【００１１】
実施例１
図１は、本発明腰痛帯の第１の実施例を示すもので、以下該図１に基いて本発明を説明する。
【００１２】
１０は腰痛帯で、背当て部１１とその両端に連成された腹当て部１２、１３とによって構成されている。尚、当該腹当て部１２、１３には、面ファスナー（図示せず）で相互に前合わせ止着・離脱自在となっている。
【００１３】
背当て部１１の下辺領域１１ａの伸長力は、他領域１１ｂより大きくなっている。この伸長力の差は別素材の逢着等により付与しても良いが、当該下辺領域１１ａの伸長力が他領域１１ｂより大きくなるように適宜伸縮性素材等を織り込んだ伸縮性織物を背当て部１１として用いるのが、生産効率、輸送効率、保管効率の点で特に望ましい。
【００１４】
この下辺領域１１ａの巾としては１〜５cmとするのが、骨盤部分をより確実に支持固定する上で望ましい。また、この下辺領域１１ａの伸長力としては、支持固定作用と装着時の違和感とのバランス上、他領域１１ｂの伸長力の１２０〜１５０％とするのが望ましい。
【００１５】
実施例２
図２は、本発明腰痛帯の第２の実施例を示すもので、背当て部１１の下辺領域１１ａのみならず、上辺領域１１ｃの伸長力も他領域１１ｂより大きくなっている以外は実施例１の腰痛帯と同様に構成されている。
因に、この上辺領域の１１ｃの巾としては１〜５cm、またこの上辺領域１１ｃの伸長力としては、他領域１１ｂの伸長力の１２０〜１５０％とするのが望ましい。
【図面の簡単な説明】
【００１６】
【図１】本発明腰痛帯の第１の実施例を示す正面説明図。
【図２】本発明腰痛帯の第２の実施例を示す正面説明図。
【符号の説明】
【００１７】
１０：腰痛帯
１１：背当て部
１１ａ：下辺領域
１１ｂ：他領域
１１ｃ：上辺領域
１２、１３：腹当て部
【図１】
2005095508.tif 000003
【図２】
2005095508.tif 000004
(57)【要約】【課題】  靴底の周縁部の厚みを特に極薄に形成したスマートで上品な女性好みの靴の提供。【解決手段】  甲皮１の内皮１ｂの下部を内底２に沿って折返し、該折返部分を前記内底２の裏面に接着固定すると共に前記甲皮１の表皮１ａの下部を外側に突出させこれを折返しして極薄の突出部３を形成し、この突出部３と外底４を直接逢着した。【選択図】  図１
2005095546.tif 000002
【特許請求の範囲】
【請求項１】
甲皮１における内皮１ｂの下部を内底２に沿って折返し、該折返部分を前記内底２の裏面に接着固定すると共に前記甲皮１の表皮１ａの下部を外側に突出させて折返した極薄の突出部３を形成し、該突出部３の折返部分を前記内皮１ｂの折返部分に接着固定し且つ前記突出部３と外底４を逢着してなる靴の構造。
【発明の詳細な説明】
【技術分野】
【０００１】  本発明は、極薄の靴底を形成するための靴の構造に関するものである。
【背景技術】
【０００２】  従来は、男性靴は無論のこと、女性のハイヒール靴でも靴底の構造は図３に示すようなものであった。  即ち甲皮の内皮ａと外皮ｂの下部を内底Ｂに沿って折返し、該折曲部を逢着すると共にその下部に外底Ｃを接着固定するようにしている。【０００３】  前記従来の方法によると、靴底の周縁部が分厚くなってスマートな靴を製造することがが難しく、特に女性向けの靴底の薄い洗練された上品な靴を得ることができない。
【発明の開示】
【発明が解決しようとする課題】
【０００４】  本発明が解決しようとする問題点は、靴底の周縁が極薄でスマートさを醸し出す特に女性靴に好適な上品さを有する靴の提供を目的としたものである。
【課題を解決するための手段】
【０００５】  本発明は、前記の目的を達成する手段として、甲皮１における内皮１ｂの下部を内底２に沿って折返し、該折返部分を前記内底２の裏面に接着固定すると共に前記甲皮１の表皮１ａの下部を外側に突出させてこれを折返ししてなる極薄の突出部３を形成し、この突出部３と外底４を逢着するようにした。
【発明の効果】
【０００６】  本発明によれば、甲皮を内底に逢着しこれに外底を接着固定するようにした従来品と異なり甲皮１の下部に外側に突出する突出部３を形成し、この突出部３に外底４を直接逢着し、内底２の厚みが露出するのを完全に排除されるものであって、靴底の周縁部分は非常に極薄にすることが可能になり、従来品に比し極めてスマートで上品な靴が得られるものである。
【発明を実施するための最良の形態】
【０００７】  本発明によれば、靴の耐久性を損なわずに女性好みのスマートで上品なハイヒール靴が容易に製造することが可能となるものである。
【実施例１】
【０００８】  本発明に係る靴の構造を図に基づいて説明すると、甲皮１は、表皮１ａと内皮１ｂによって構成され、内皮１ｂの下部を内底２に沿って折返し該折返部分を内底２の裏面に接着固定する。次に表皮１ａの下部は、外則に突出してこれを折返ししてなる極薄の突出部３を形成し、この突出部３と外底４を直接逢着するようにした。
【産業上の利用可能性】
【０００９】  本発明に係る靴の構造は女性のハイヒール靴には最適であるが、男性靴特にカジュアル性を強調した靴にも幅広く適用することが可能である。
【図面の簡単な説明】
【００１０】
【図１】  本発明を実施したハイヒール靴の斜視図。
【図２】  要部を示す断面図。
【図３】  従来品の構造を示す断面図。
【符号の説明】
【００１１】  １  甲皮
２  内底
３  突出部
４  外底
【図１】
2005095546.tif 000003
【図２】
2005095546.tif 000004
【図３】
2005095546.tif 000005